(57)【要約】 【課題】本考案は、足に装着しても歩行運動の妨げとならず、足元から一定量の殺虫薬剤を揮散させ、安定した虫除け効果を維持できる飛翔害虫忌避用具を提供することを目的とする。【解決手段】薬剤注入孔５と薬剤揮散孔４と空洞部１５ｃとシューレース通過孔３０とを有する中空の筐体１５を備え、前記シューレース通過孔３０にシューレースを通過させて靴に取り付けて使用し、前記薬剤揮散孔４から薬剤を揮散させる飛翔害虫忌避用具７であって、飛翔害虫忌避成分を含有する薬剤を含浸させる、不織布、スポンジ、セラミック多孔質体、フェルト材または繊維束の薬剤含浸部材２が前記空洞部１５ｃ内に配置されてなることを特徴とする飛翔害虫忌避用具７により、上記課題を解決できる。【選択図】図１
0003140153.tif 000002
【実用新案登録請求の範囲】
【請求項１】
薬剤注入孔と薬剤揮散孔と空洞部とシューレース通過孔とを有する中空の筐体を備え、前記シューレース通過孔にシューレースを通過させて靴に取り付けて使用し、前記薬剤揮散孔から薬剤を揮散させる飛翔害虫忌避用具であって、
飛翔害虫忌避成分を含有する薬剤を含浸させる、不織布、スポンジ、セラミック多孔質体、フェルト材または繊維束から選択される多孔質材料の薬剤含浸部材が前記空洞部内に配置されてなることを特徴とする飛翔害虫忌避用具。
【請求項２】
前記薬剤揮散孔の大きさが前記薬剤注入孔の大きさよりも大きく形成されていることを特徴とする請求項１に記載の飛翔害虫忌避用具。
【請求項３】
前記筐体が、薬剤揮散孔用容器と、前記薬剤揮散孔用容器と嵌合するシールド用容器とからなり、前記薬剤揮散孔用容器と前記シールド用容器の少なくとも一方に収納凹所が設けられていることを特徴とする請求項１または請求項２のいずれか１項に記載の飛翔害虫忌避用具。
【請求項４】
前記筐体が、リング状であることを特徴とする請求項１〜３のいずれか１項に記載の飛翔害虫忌避用具。
【請求項５】
前記リング状の筐体が、ヒンジ部と錠部を備えた半環状の部材が結合された筐体であって、前記一の半環状の部材の一端が前記他の半環状の部材の一端と前記ヒンジ部によって稼動自在に結合され、前記一の半環状の部材の他端が前記他の半環状の部材の他端と前記錠部によって開閉自在とされていることを特徴とする請求項４に記載の飛翔害虫忌避用具。
【請求項６】
前記錠部が、凸部と、前記凸部に嵌合自在とされた凹部とからなり、前記凸部が前記一の半環状の部材の他端に設けられ、前記凹部が前記他の半環状の部材の他端に設けられていることを特徴とする請求項５に記載の飛翔害虫忌避用具。
【請求項７】
前記リング状の筐体が、チューブ状の筐体と結合部材とからなり、前記チューブ状の筐体の一端と他端が重ねられて前記結合部材で結合されることによりリング状にされていることを特徴とする請求項４に記載の飛翔害虫忌避用具。
【請求項８】
前記飛翔害虫忌避成分が常温揮散性成分を含むことを特徴とする請求項１〜７のいずれか１項に記載の飛翔害虫忌避用具。
【請求項９】
前記常温揮散性成分が殺虫剤、植物精油もしくは香料のいずれかの成分を含むことを特徴とする請求項８に記載の飛翔害虫忌避用具。
【請求項１０】
前記殺虫剤が、メトフルトリン、トランスフルスリンもしくはエンペンスリンのいずれかの化合物を含むことを特徴とする請求項９に記載の飛翔害虫忌避用具。
【考案の詳細な説明】
【技術分野】
【０００１】
本考案は、飛翔害虫忌避用具に関する。特に、屋外における散策活動や、森林等でのハイキングや登山活動時においての使用に優れた飛翔害虫忌避用具に関する。
【背景技術】
【０００２】
害虫忌避用具に関する考案として、特許文献１には、揮発性薬剤を含浸させたハニカムシートから徐々に薬剤を揮散させる虫除けチューブが開示されている。また、特許文献２には、インテリア兼用型の薬剤揮散体容器が開示されている。さらに、特許文献３には、ペリラアルデヒドを主成分とする薬剤含浸部材を通気性ケースに収納した米びつ防虫具について開示されている。また、特許文献４には、表裏両面上に油液透過性の表示層を有した両面表示機能付き防虫具について開示されている。さらにまた、特許文献５には、イソチオシアン酸化合物を主成分とした忌避具について開示されている。しかし、これらは、携帯用を考慮したものではなく、質量、大きさなどの点で携帯用の害虫忌避用具としては好ましくない。
【０００３】
これまで、携帯用の害虫忌避用具として、殺虫薬剤を含浸させた担体を腕もしくは身体の一部に適当な固定具を用いて装着して使用する例について提案されている。たとえば、特許文献６には、腰に吊下げて使用するハーブ精油含浸チップ内包吊下げ式パケットが開示されている。しかし、この方式では、殺虫薬剤の揮散量を常に安定して確保することができるとは考え難く、安定した虫除け効果を期待することはできない。
【０００４】
無動力式、電源式もしくは電池駆動式ファンを用いて、殺虫薬剤を含浸させた担体に風を当てて、出来るだけ多くの殺虫薬剤を大気中へ揮散させることにより、虫除けを行う方式も提案されている。しかし、無動力式のファンを用いる方式では、やはり、殺虫薬剤の揮散量を常に安定して確保することができるとは考え難く、安定した虫除け効果を期待することはできない。さらに、電源式もしくは電池駆動式ファンを用いた害虫忌避用具を足に装着して使用することは適切ではない。電源部もしくは電池駆動部が大きいので、歩行などの運動に支障が生じる場合が発生するとともに、屋外活動で使用した場合には電源部もしくは電池駆動部が雨などに濡れて機械故障が生ずる場合が発生するためである。
【０００５】
本考案者らは、飛翔害虫忌避用具に関する一連の研究により、屋外で人間が活動する場合には、立っている人間の上半身よりも下半身に飛翔害虫がよく集まることを発見した。そのため、足に携帯用の害虫忌避用具を装着し、下半身を中心として人間の身体全体を覆うように飛翔害虫忌避成分からなるバリア雰囲気を形成することが、飛翔害虫を忌避する上で有効であることが分かった。
しかし、足に装着し、歩行運動の妨げにならず、殺虫薬剤の揮散量を常に安定して確保できる携帯用の飛翔害虫忌避用具についてはこれまで開示されていない。
【特許文献１】特開２００７−２９０１６号公報
【特許文献２】実用新案登録第３０３１７１４号公報
【特許文献３】実用新案登録第３０９５０１９号公報
【特許文献４】実用新案登録第３０５０１４９号公報
【特許文献５】実用新案登録第３０７０６６６号公報
【特許文献６】実用新案登録第３１０１９８６号公報
【考案の開示】
【考案が解決しようとする課題】
【０００６】
本考案は、上記事情を鑑みてなされたもので、足に装着しても歩行運動の妨げとならず、足元から一定量の殺虫薬剤を揮散させ、安定した虫除け効果を維持できる飛翔害虫忌避用具を提供することを目的とする。
【課題を解決するための手段】
【０００７】
上記の目的を達成するために、本考案は以下の構成を採用した。すなわち、
本考案の飛翔害虫忌避用具は、薬剤注入孔と薬剤揮散孔と空洞部とシューレース通過孔とを有する中空の筐体を備え、前記シューレース通過孔にシューレースを通過させて靴に取り付けて使用し、前記薬剤揮散孔から薬剤を揮散させる飛翔害虫忌避用具であって、飛翔害虫忌避成分を含有する薬剤を含浸させる、不織布、スポンジ、セラミック多孔質体、フェルト材または繊維束から選択される多孔質材料の薬剤含浸部材が前記空洞部内に配置されてなることを特徴とする。
【０００８】
本考案の飛翔害虫忌避用具は、前記薬剤揮散孔の大きさが前記薬剤注入孔の大きさよりも大きく形成されていることを特徴とする。
本考案の飛翔害虫忌避用具は、前記筐体が、薬剤揮散孔用容器と、前記薬剤揮散孔用容器と嵌合するシールド用容器とからなり、前記薬剤揮散孔用容器と前記シールド用容器の少なくとも一方に収納凹所が設けられていることを特徴とする。
本考案の飛翔害虫忌避用具は、前記筐体が、リング状であることを特徴とする。
【０００９】
本考案の飛翔害虫忌避用具は、前記リング状の筐体が、ヒンジ部と錠部を備えた半環状の部材が結合された筐体であって、前記一の半環状の部材の一端が前記他の半環状の部材の一端と前記ヒンジ部によって稼動自在に結合され、前記一の半環状の部材の他端が前記他の半環状の部材の他端と前記錠部によって開閉自在とされていることを特徴とする。
【００１０】
本考案の飛翔害虫忌避用具は、前記錠部が、凸部と、前記凸部に嵌合自在とされた凹部とからなり、前記凸部が前記一の半環状の部材の他端に設けられ、前記凹部が前記他の半環状の部材の他端に設けられていることを特徴とする。
本考案の飛翔害虫忌避用具は、前記リング状の筐体が、チューブ状の筐体と結合部材とからなり、前記チューブ状の筐体の一端と他端が重ねられて前記結合部材で結合されることによりリング状にされていることを特徴とする。
【００１１】
本考案の飛翔害虫忌避用具は、前記飛翔害虫忌避成分が常温揮散性成分を含むことを特徴とする。
本考案の飛翔害虫忌避用具は、前記常温揮散性成分が殺虫剤、植物精油もしくは香料のいずれかの成分を含むことを特徴とする。
本考案の飛翔害虫忌避用具は、前記殺虫剤が、メトフルトリン、トランスフルスリンもしくはエンペンスリンのいずれかの化合物を含むことを特徴とする。
【考案の効果】
【００１２】
本考案によれば、足に装着しても歩行運動の妨げとならず、足元から一定量の殺虫薬剤を揮散させ、安定した虫除け効果を維持できる飛翔害虫忌避用具を提供することができる。
本考案の飛翔害虫忌避用具は、シューレース通過孔を有し、シューレース通過孔にシューレースを通過させて靴に取り付けて使用することができる構成なので、歩行運動により生じる空気流を利用して、人間の体を取り囲むように飛翔害虫忌避成分を含むバリア雰囲気を形成して、飛翔害虫を効率的に忌避することができる。
本考案の飛翔害虫忌避用具は、薬剤注入孔を有し、薬剤注入孔から必要に応じて薬剤注入用シリンジを用いて薬剤を補充することができる構成なので、飛翔害虫忌避効果を持続、増強させることができる。
本考案の飛翔害虫忌避用具は、リング状の筐体がヒンジ部と錠部を備えた半環状の部材が結合された筐体であって、一の半環状の部材の一端が他の半環状の部材の一端とヒンジ部によって稼動自在に結合され、一の半環状の部材の他端が他の半環状の部材の他端と錠部によって開閉自在とされている構成なので、容易にシューレースの装脱着を行うことができる。
本考案の飛翔害虫忌避用具は、リング状の筐体が、チューブ状の筐体と結合部材とから構成され、チューブ状の筐体の一端と他端が結合部材で結合されることによりリング状にされる構成なので、容易にシューレースの装脱着を行うことができる。
【考案を実施するための最良の形態】
【００１３】
以下、本考案を実施するための形態を説明する。
（実施形態１）
図１は、本考案の実施形態である飛翔害虫忌避用具の一例を示す図であって、図１（ａ）は斜視図であり、図１（ｂ）は平面図であり、図１（ｃ）は薬剤揮散孔用容器３を取り外したときの平面図である。また、図１（ｂ）では、薬剤注入孔５から薬剤注入用シリンジ６を用いて薬剤を注入する状態を示している。
図１に示すように、本考案の実施形態である飛翔害虫忌避用具７は、薬剤注入孔５と薬剤揮散孔４と空洞部１５ｃとシューレース通過孔３０とを有する中空のリング状の筐体１５から構成されている。また、筐体１５は、底部容器（シールド用容器）１に上部容器（薬剤揮散孔用容器）３が嵌合されて構成されている。薬剤注入孔５と薬剤揮散孔４は、薬剤揮散孔用容器３の一面（図１では上面）３ａに設けられている。
【００１４】
薬剤注入孔５は、飛翔害虫忌避用具７に薬剤を注入するための孔である。図１（ｂ）に示すように、薬剤注入用シリンジ６のシリンジ針６ａを薬剤注入孔５から挿入して、空洞部１５ｃへ薬剤を注入することができるようになっている。空洞部１５ｃには薬剤含浸部材２が配置されており、注入された薬剤は薬剤含浸部材２に含浸される。
なお、必要に応じて、薬剤はこのようにして補充されて、飛翔害虫忌避効果を持続、増強させることができる。
【００１５】
薬剤注入孔５の形状、大きさは、特に限定されず、シリンジ針を挿入できるものであればよい。なお、薬剤注入孔５の数も、特に限定されないが、薬剤補給の際にシリンジ針は１回挿入できれば良いので、少なくとも一つあればよい。
薬剤揮散孔４は、薬剤を揮散させるための孔である。薬剤揮散孔４から取りこまれた空気流は、空洞部１５ｃに配置された薬剤含浸部材２から薬剤を取り込み、薬剤揮散孔４から排出される。
【００１６】
薬剤揮散孔４の形状、大きさは、特に限定されず、一定量の薬剤を安定して揮散させることができるものであればよい。たとえば、図１に示すように、円弧状として４つ周方向に形成する。あまり小さい孔は、薬剤を効果的に揮散させることができず、好ましくない。逆に、大きすぎる孔は、土や泥などを流入させるおそれが発生するので好ましくない。空洞部１５ｃに空気流のみを効果的に取り込むことができる大きさとすることが好ましい。
また、薬剤揮散孔４の数も特に限定されない。一定量の薬剤を安定して揮散させることができる程度であればよい。薬剤揮散孔４の数を増やすことにより、翔害虫忌避成分を含有した空気流を大量に排出させることができ、飛翔害虫忌避効果を高めることができる。
【００１７】
薬剤揮散孔４の大きさが薬剤注入孔５の大きさよりも大きく形成されていることが好ましい。
薬剤揮散孔４の大きさが薬剤注入孔５の大きさよりも小さく、薬剤注入孔５が大きすぎる場合には、薬剤注入孔５から薬剤が漏出するおそれがあるとともに、薬剤揮散孔４からの薬剤揮散の効果が低下するので好ましくない。
【００１８】
薬剤注入孔５と薬剤揮散孔４の設置位置は、特に限定されず、一定量の薬剤を安定して揮散させることができる配置であればよい。たとえば、薬剤揮散孔４の設置位置は、図１に示すように、リング状の薬剤揮散孔用容器３の一面３ａの周まわりに９０°間隔で設けることができる。このようにして、靴を履いた人間の上方に向けて薬剤揮散孔用容器３を配置した場合、人間の身体の上方向に一定量の薬剤を安定して揮散させることができ、また、地面の方向に薬剤を無駄に漏出させることはない。
なお、シールド用容器１に薬剤注入孔５と薬剤揮散孔４を設けてもよい。シールド用容器１が人間側となるように、靴に取り付ければ同じ効果を示すためである。
さらに、薬剤揮散孔４を薬剤揮散孔用容器３に設け、薬剤注入孔５をシールド用容器１に設けてもよい。薬剤注入孔５は孔径が小さく、また、薬剤は薬剤含浸部材２に含浸されているので、容易に漏出されないためである。
【００１９】
シューレース通過孔３０の大きさは、通過させるシューレースの太さを考慮して、内径は少なくとも５ｍｍ以上あることが好ましいが、靴の大きさを考慮して適切に設定すればよく、特に限定されるものではない。シューレース通過孔３０の形状は、通過させるシューレースの太さを考慮して適切に設定すればよく、特に限定されるものではない。たとえば、円形状、楕円形状などを挙げることができる。また、シューレース通過孔３０の数も特に限定されるものではなく、２つ以上あってもよい。
【００２０】
筐体１５の大きさは、靴に装着した場合、歩行運動などの屋外活動の妨げにならない大きさであればよく、特に限定されるものではない。
筐体１５の形状は、シューレース通過孔３０が設けられていれば特に限定されない。たとえば、リング状、楕円体状、多角体状、球状などを挙げることができる。
筐体１５は、樹脂、ガラスあるいは金属から選ばれる材料で形成されることが好ましい。このような材料を用いることにより、一定の材料強度を確保することができ、筐体１５の破損や変形を防ぐことができる。また、屋外活動で使用して多少雨に濡れたとしても、飛翔害虫忌避成分が筐体１５から漏出されることを防ぐことができる。
【００２１】
図１（ｃ）に示すように、シールド用容器１の内側には収納凹所１ｃが備えられており、収納凹所１ｃを埋めるようにドーナツ状の薬剤含浸部材２が配置されている。薬剤含浸部材２には、飛翔害虫忌避成分を含有する薬剤が含浸されている。また、シールド用容器１に薬剤揮散孔用容器３を嵌合することにより、収納凹所１ｃが空洞部１５ｃとなる構成とされている。
凹部は、薬剤揮散孔用容器３とシールド用容器１の少なくとも一方に備えられていれば良い。薬剤揮散孔用容器３とシールド用容器１の少なくとも一方に収納凹所が備えられることにより、薬剤含浸部材２を配置することができる。なお、薬剤揮散孔用容器３にも、シールド用容器１と同様に、別の収納凹所が備えられていて、薬剤含浸部材２が備えられていてもよい。その場合、空洞部１５ｃは、薬剤揮散孔用容器３の別の収納凹所とシールド用容器１の収納凹所１ｃとから構成される。このように、薬剤揮散孔用容器３とシールド用容器１の少なくとも一方に収納凹所１ｃが設けられている構成なので、容易に薬剤含浸部材２を収納凹所１ｃに配置することができる。すなわち、空洞部１５ｃに容易に薬剤含浸部材２を配置することができる。
【００２２】
シールド用容器１と薬剤揮散孔用容器３は一体に嵌合されるか、接合されることにより、たやすく、分離できない構造とされることが好ましい。
このようにすることにより、子供が薬剤揮散孔用容器３を取り外して空洞部１５ｃに配置された薬剤含浸部材２に誤って触れることがないようにすることができる。さらに、シールド用容器１と薬剤揮散孔用容器３を嵌合させた後に、接着剤などで接合しても良い。安全性を更に高めることができる。
【００２３】
薬剤含浸部材２は、飛翔害虫忌避成分を含有させた不織布、スポンジ、セラミック多孔質体、フェルト材または繊維束から選択される多孔質材料であることが好ましい。
薬剤含浸部材２が、不織布、スポンジ、セラミック多孔質体、フェルト材または繊維束から選択される多孔質材料からなれば、容易に、大量の飛翔害虫忌避成分を含有させることができる。また、一定の材料強度を有するとともに、雨濡れに対しても一定の耐性も有する。さらに、１回の空気流の衝突が奪い取る飛翔害虫忌避成分をわずかにして、長期間に亘って一定量の飛翔害虫忌避成分を安定して排出させるようにすることができる。
なお、薬剤含浸部材２として用いる多孔質材料としては、先に記載した材料に限定されるわけではなく、薬剤を保持することのできる孔が多く形成されている材料であればよい。
薬剤含浸部材２は、あらかじめ飛翔害虫忌避成分を含有させた溶液に浸漬させて、飛翔害虫忌避成分を内在させてもよい。この場合、薬剤注入用シリンジで薬剤を注入する手間を省くことができる。
【００２４】
飛翔害虫忌避成分は、常温揮散性成分を含むことが好ましい。常温揮散性成分とは、常温（２５℃前後）で容易に揮散する成分のことであり、この成分を含むことにより薬剤含浸部材２から排出される空気流に容易に飛翔害虫忌避成分を含有させることができるためである。
なお、必要に応じて、飛翔害虫忌避成分を揮発製剤に配合することが好ましい。飛翔害虫忌避成分を揮発製剤に配合することによって、揮発性をさらに高めることができ、人間の体を取り囲むように飛翔害虫忌避成分を含むバリア雰囲気をより効率的に形成することができる。
常温揮散性成分は、殺虫剤、植物精油もしくは香料のいずれかの成分を含むことが好ましい。殺虫剤、植物精油もしくは香料のいずれかの成分は、飛翔害虫に対して効き目があるとともに、常温揮散性があるので、人間の体を取り囲むように飛翔害虫忌避成分を含むバリア雰囲気を形成して、飛翔害虫を効率的に忌避することができるためである。
殺虫剤は、メトフルトリン、トランスフルスリンもしくはエンペンスリンのいずれかの化合物を含むことが好ましい。メトフルトリン、トランスフルスリンもしくはエンペンスリンのいずれかの化合物を含む殺虫剤は、飛翔害虫に対して効き目があるとともに、常温揮散性があるので、人間の体を取り囲むように飛翔害虫忌避成分を含むバリア雰囲気を形成して、飛翔害虫を効率的に忌避することができるためである。
【００２５】
図２は、本考案の実施形態である飛翔害虫忌避用具の使用形態の一例を示す斜視図である。
図２に示すように、飛翔害虫忌避用具７は、シューレース通過孔３０に靴紐（シューレース）３１を通過させて靴１３に取り付ける。そのため、歩行運動などによって飛翔害虫忌避用具７が靴１３からたやすく取り外れることはない構成とされている。
歩行運動で足が前後及び上下に動くときには、足の周囲に必ず空気流を生じさせる。このように飛翔害虫忌避用具７を靴１３に取り付ければ、足の周囲に生じた空気流を薬剤揮散孔４から効率的に取り込むことができる。取り込まれた空気流は、空洞部１５ｃ内で、薬剤含浸部材２へ衝突して、飛翔害虫忌避成分を含有する空気流となり、薬剤揮散孔４から筐体１５の外へ排出される。
【００２６】
飛翔害虫忌避成分を含んだ空気流が人間の身体の足元に噴出されることにより、その人間の皮膚または衣類に飛翔害虫忌避成分が付着するとともに、その人間の周囲に飛翔害虫忌避成分を含有した空気層が形成される。すなわち、人間の身体全体を包むように、飛翔害虫忌避成分からなるバリア雰囲気が形成される。そのため、飛翔害虫はその人間に近づかないようになり、人間は飛翔害虫を忌避することができる。
また、飛翔害虫忌避用具７を靴１３に取り付けることにより、飛翔害虫忌避成分を含んだ空気流が、まず、足元から人間の下半身を取り囲んだ後、上半身を取り囲むように流れるようにすることができる。そのため、人間の下半身に集まりやすい飛翔害虫を効果的に忌避することができる。
なお、図２では、靴１３に３つの飛翔害虫忌避用具７を取り付けている。このように、必要に応じて、靴１３に取り付ける飛翔害虫忌避用具７の個数を増やすことにより、容易に飛翔害虫忌避効果を向上させることができる。
【００２７】
（実施形態２）
図３は、本考案の実施形態である飛翔害虫忌避用具の別の一例を示す平面図であって、図３（ａ）は錠部１０を閉の状態にしたときの図であり、図３（ｂ）は錠部１０を開の状態にしたときの図である。なお、実施形態１と同様の部材については、同じ符号をつけて示している。
図３（ａ）に示されるように、本考案の実施形態である飛翔害虫忌避用具７１は、薬剤注入孔５と薬剤揮散孔４とを有する半環状の部材２０、２１からなるリング状の筐体２３として形成されている。
一の半環状の部材２０の一端２０ａは、他の半環状の部材２１の一端２１ａとヒンジ部９によって稼動自在に結合され、一の半環状の部材２０の他端２０ｂは、他の半環状の部材２１の他端２１ｂと錠部１０によって開閉自在に結合されている。
なお、錠部１０は、このような構成に限らず、開閉できる機能を有する構成であればよい。
【００２８】
錠部１０は、一の半環状の部材２０の他端２０ｂに設けられた凸部１０ａと、他の半環状の部材２１の他端２１ｂに設けられた凹部１０ｂとから構成されている。また、凸部１０ａは、凹部１０ｂに嵌合自在とされている。
また、凸部１０ａが凹部１０ｂに嵌合された場合には、容易に外れない構成とされている。凸部１０ａが凹部１０ｂに嵌合された場合に容易に外れない構成とは、特に限定されず、たとえば、凸部１０ａの先端側が基端側に比較して若干径が太くされている構成、あるいは先端側の表面が粗く形成されていて外れ難い構成などを挙げることができる。
【００２９】
図３（ａ）に示すように、飛翔害虫忌避用具７１は、錠部１０を閉の状態にしたとき、リング状となり、シューレース通過孔３０を形成する。このシューレース通過孔３０にシューレースを通過させて、靴に取り付けることができる。靴に取り付けて歩行運動を行うことにより、実施形態１と同様に、人間の身体全体を包むように、飛翔害虫忌避成分からなるバリア雰囲気を形成することができる。
半環状の部材２０、２１には、それぞれ空洞部２０ｃ、２１ｃが設けられており、空洞部２０ｃ、２１ｃにそれぞれ薬剤含浸部材２が配置されている。
実施形態１と同様に、薬剤注入孔５から薬剤注入用シリンジ６で薬剤を飛翔害虫忌避用具７１に注入させることができる構成とされている。また、薬剤揮散孔４から薬剤を揮散させることができる構成とされている。
【００３０】
図３（ｂ）に示すように、飛翔害虫忌避用具７１は、錠部１０を開の状態にしたとき、シューレース通過孔３０を開放し、シューレース通過孔３０に通過させていたシューレースを容易に取り外すことができる。そのため、飛翔害虫忌避用具７１の装脱着性を高めることができる。
このような構成でも、実施形態１と同様に、下半身を中心として人間の身体全体を覆うように飛翔害虫忌避成分からなるバリア雰囲気を形成して、飛翔害虫を有効に忌避することができる。
【００３１】
（実施形態３）
図４は、本考案の実施形態である飛翔害虫忌避用具のさらに別の一例を示す斜視図であって、図４（ａ）は、結合部材を用いてリング状とした状態の図であり、図４（ｂ）は結合部材を取り外した状態の図である。なお、実施形態１と同様の部材については、同じ符号をつけて示している。
図４（ａ）に示されるように、本考案の実施形態である飛翔害虫忌避用具７２は、薬剤注入孔５と薬剤揮散孔４とを有するチューブ状の筐体１１の一端１１ａと他端１１ｂが重ねられ、さらに結合部材２５により挟まれて固定されて、リング状とされて形成されている。なお、チューブ状の筐体１１は変形自在とされており、容易にリング状にすることができる。
図４（ｂ）に示すように、チューブ状の筐体１１の一端１１ａと他端１１ｂには、それぞれ開口部１２ａ、１２ｂが設けられ、開口部１２ａ、１２ｂのいずれか一方から薬剤含浸部材２をチューブ状の筐体１１の空洞部１１ｃに差し込んで配置できるようにされている。
【００３２】
実施形態１と同様に、薬剤注入孔５から薬剤注入用シリンジ６で薬剤を薬剤含浸部材２に注入させることができる構成とされている。また、薬剤揮散孔４から薬剤を揮散させることができる構成とされている。
チューブ状の筐体１１に用いる材料としては、空洞部１１ｃに配置した薬剤含浸部材２の薬剤を外に漏出しない材料であって、容易にリング状に変形することのできる材料であれば、特に限定されない。たとえば、ゴム、エラストマーまたはプラスチックなどを挙げることができる。
結合部材２５は、チューブ状の筐体１１の一端１１ａと他端１１ｂとを重ねて挟んで固定することのできる部材であれば、特に限定されない。たとえば、金属製または樹脂性のクリップなどを挙げることができる。
【００３３】
図４（ａ）に示すように、飛翔害虫忌避用具７２は、結合部材２５を取り付けた状態にしたとき、リング状となり、シューレース通過孔３０を形成する。このシューレース通過孔３０にシューレースを通過させて、靴に取り付けることができる。靴に取り付けて歩行運動を行うことにより、実施形態２と同様に、人間の身体全体を包むように、飛翔害虫忌避成分からなるバリア雰囲気を形成することができる。
【００３４】
結合部材２５を取りはずしたとき、図４（ｂ）に示すように、飛翔害虫忌避用具７２は、シューレース通過孔３０を開放する。そのため、シューレース通過孔３０に通過させていたシューレースを容易に取り外すことができる。飛翔害虫忌避用具７２の装脱着性を高めることができる。
このような構成でも、薬剤揮散孔４から空気流を取り込んで、飛翔害虫忌避成分を空気流に含有させた後、薬剤揮散孔４から排出させることができるので、実施形態１と同様に、下半身を中心として人間の身体全体を覆うように飛翔害虫忌避成分からなるバリア雰囲気を形成して、飛翔害虫を有効に忌避することができる。
【００３５】
（実施形態４）
図５は、本考案の実施形態である飛翔害虫忌避用具のさらに別の一例を示す図であって、図５（ａ）は斜視図であり、図５（ｂ）は平面図である。なお、実施形態１と同様の部材については、同じ符号をつけて示している。
筐体４０が円体状であることを除いては、実施形態１と同様の構成とされている。円体状の筐体４０の一端側にシューレース通過孔３０が配置されており、他端側に薬剤揮散孔４と薬剤注入孔５が設けられている。筐体４０の内部には空洞部４０ｃが設けられ、空洞部４０ｃに薬剤含浸部材２が配置されている。
このような構成でも、シューレース通過孔３０にシューレースを通過させて靴に取り付けて使用することができるとともに、歩行の際、薬剤揮散孔４から空気流を取り込んで、飛翔害虫忌避成分を空気流に含有させた後、薬剤揮散孔４から排出させることができるので、実施形態１と同様に、下半身を中心として人間の身体全体を覆うように飛翔害虫忌避成分からなるバリア雰囲気を形成して、飛翔害虫を有効に忌避することができる。
【００３６】
（実施形態５）
図６は、本考案の実施形態である飛翔害虫忌避用具のさらに別の一例を示す図であって、図６（ａ）は斜視図であり、図６（ｂ）は平面図である。なお、実施形態１と同様の部材については、同じ符号をつけて示している。
筐体４１が多角体状であることを除いては、実施形態１と同様の構成とされている。多角体状の筐体４０の中心にシューレース通過孔３０が配置されており、その周辺に薬剤揮散孔４と薬剤注入孔５が設けられている。筐体４１の内部には空洞部４１ｃが設けられ、空洞部４１ｃには、薬剤含浸部材２が配置されている。
このような構成でも、シューレース通過孔３０にシューレースを通過させて靴に取り付けて使用することができるとともに、歩行の際、薬剤揮散孔４から空気流を取り込んで、飛翔害虫忌避成分を空気流に含有させた後、薬剤揮散孔４から排出させることができるので、実施形態１と同様に、下半身を中心として人間の身体全体を覆うように飛翔害虫忌避成分からなるバリア雰囲気を形成して、飛翔害虫を有効に忌避することができる。
【００３７】
（実施形態６）
図７は、本考案の実施形態である飛翔害虫忌避用具のさらに別の一例を示す図であって、図７（ａ）は斜視図であり、図７（ｂ）は平面図であり、図７（ｃ）はシューレースを通過させて靴に取り付けた状態を示す斜視図である。なお、実施形態１と同様の部材については、同じ符号をつけて示している。
筐体４４が球状であることを除いては、実施形態１と同様の構成とされている。
【００３８】
図７（ａ）に示すように、半球状の薬剤揮散孔用容器４２が半球状のシールド用容器４３に嵌合されて筐体４４が形成されている。また、半球状の薬剤揮散孔用容器４２と半球状のシールド用容器４３にはそれぞれ収納凹所４２ｃ、４３ｃが設けられ、薬剤含浸部材２が配置されている。
図７（ｂ）に示すように、半球状の薬剤揮散孔用容器４２には、一端側４２ａにシューレース通過孔３０が設けられ、また、それよりも中心よりに薬剤揮散孔４と薬剤注入孔５が設けられている。また、図７（ａ）に示すように、半球状のシールド用容器４３には、他端側４３ｂに別のシューレース通過孔３０が設けられている。半球状の薬剤揮散孔用容器４２を半球状のシールド用容器４３に嵌合して筐体４４としたとき、シューレース通過孔３０と別のシューレース通過孔３０は一つの貫通孔となるように構成されている。
【００３９】
そのため、図７（ｃ）に示すように、シューレース３１を、半球状の薬剤揮散孔用容器４の一端側４２ａのシューレース通過孔３０から、半球状のシールド用容器４３の他端側４３ｂの別のシューレース通過孔３０へ通過させることよって、飛翔害虫忌避用具を靴１３に取り付けることができる。
このような構成でも、シューレース通過孔３０にシューレースを通過させて靴に取り付けて使用することができるとともに、歩行の際、薬剤揮散孔４から空気流を取り込んで、飛翔害虫忌避成分を空気流に含有させた後、薬剤揮散孔４から排出させることができるので、実施形態１と同様に、下半身を中心として人間の身体全体を覆うように飛翔害虫忌避成分からなるバリア雰囲気を形成して、飛翔害虫を有効に忌避することができる。
【００４０】
（実施形態７）
図８は、本考案の実施形態である飛翔害虫忌避用具のさらに別の一例を示す図であって、図８（ａ）は斜視図であり、図８（ｂ）は平面図であり、図８（ｃ）はシューレースを通過させて靴に取り付けた状態を示す斜視図である。なお、実施形態１と同様の部材については、同じ符号をつけて示している。
筐体４８が直方体状であることを除いては、実施形態１と同様の構成とされている。
【００４１】
図８（ａ）に示すように、直方体状の薬剤揮散孔用容器４６が直方体状のシールド用容器４７に嵌合されて筐体４８が形成されている。
図８（ｂ）に示すように、直方体状の薬剤揮散孔用容器４６の一面４６ａには薬剤揮散孔４と薬剤注入孔５が設けられている。また、直方体状の薬剤揮散孔用容器４６の内部には収納凹所４６ｃが設けられ、薬剤含浸部材２が配置されている。
また、図８（ａ）に示すように、シューレース通過孔３０は、２つのシューレース通過孔３０ａ、３０ｂとから構成されている。
【００４２】
図８（ｃ）に示すように、シューレース３１をまずシューレース通過孔３０ａに通し、靴の孔を通して折り返してきたシューレース３１をシューレース通過孔３０ｂに通過させることよって、より安定して飛翔害虫忌避用具７６を靴１３に取り付けることができる。
このような構成でも、シューレース通過孔３０にシューレースを通過させて靴に取り付けて使用することができるとともに、歩行の際、薬剤揮散孔４から空気流を取り込んで、飛翔害虫忌避成分を空気流に含有させた後、薬剤揮散孔４から排出させることができるので、実施形態１と同様に、下半身を中心として人間の身体全体を覆うように飛翔害虫忌避成分からなるバリア雰囲気を形成して、飛翔害虫を有効に忌避することができる。
【００４３】
本考案の実施形態である飛翔害虫忌避用具７、７１〜７６は、薬剤注入孔５を有し、薬剤注入孔５から必要に応じて薬剤注入用シリンジを用いて、薬剤を補充することができる構成なので、飛翔害虫忌避効果を持続、増強させることができる。
本考案の実施形態である飛翔害虫忌避用具７、７１〜７６は、シューレース通過孔３０を有し、シューレース通過孔３０にシューレース３１を通過させて靴１３に取り付けて使用することができる構成なので、歩行運動により生じる空気流を利用して、人間の体を取り囲むように飛翔害虫忌避成分を含むバリア雰囲気を形成して、飛翔害虫を効率的に忌避することができる。
本考案の実施形態である飛翔害虫忌避用具７、７１〜７６は、薬剤揮散孔４を有し、薬剤揮散孔４から薬剤が揮散される構成なので、歩行運動により生じる空気流を利用して、人間の体を取り囲むように飛翔害虫忌避成分を含むバリア雰囲気を形成して、飛翔害虫を効率的に忌避することができる。
本考案の実施形態である飛翔害虫忌避用具７、７１〜７６は、空洞部１５ｃ、２０ｃ、２１ｃ、１１ｃ、４０ｃ、４１ｃ、４２ｃ、４６ｃ内に、薬剤を含浸させた不織布あるいはスポンジから選択される多孔質材料である薬剤含浸部材２が配置される構成なので、一定量の飛翔害虫忌避成分を含む薬剤を保持することができ、飛翔害虫を効率的に忌避することができる。
【００４４】
本考案の実施形態である飛翔害虫忌避用具７、７１〜７６は、薬剤揮散孔４の大きさが薬剤注入孔５の大きさよりも大きく形成されている構成なので、薬剤注入孔５から薬剤を漏出させることがなく、薬剤揮散孔４から十分な薬剤を揮散させることができるので、人間の体を取り囲むように飛翔害虫忌避成分を含むバリア雰囲気を形成して、飛翔害虫を効率的に忌避することができる。
本考案の実施形態である飛翔害虫忌避用具７、７５、７６は、筐体１５、４４、４８が、薬剤揮散孔用容器３、４２、４６と、薬剤揮散孔用容器３、４２、４６を嵌合するシールド用容器１、４３、４７とからなる構成なので、容易に薬剤含浸部材２を収納凹所１ｃ、４２ｃ、４３ｃ、４６ｃに配置することができる。
本考案の実施形態である飛翔害虫忌避用具７、７５、７６は、薬剤揮散孔用容器３、４２、４６とシールド用容器１、４３、４７の少なくとも一方に収納凹所１ｃ、４２ｃ、４３ｃ、４６ｃが設けられている構成なので、容易に薬剤含浸部材２を収納凹所１ｃ、４２ｃ、４３ｃ、４６ｃに配置することができる。
本考案の実施形態である飛翔害虫忌避用具７、７１、７２は、筐体１５、２３、２６が、リング状である構成なので、シューレース通過孔３０が備えられ、シューレース通過孔３０にシューレース３１を通過させて靴１３に飛翔害虫忌避用具７を取り付けて、飛翔害虫忌避用具７を使用することができる。
【００４５】
本考案の実施形態である飛翔害虫忌避用具７１は、リング状の筐体２３が、ヒンジ部９と錠部１０を備えた半環状の部材２０、２１が結合された筐体２３であって、一の半環状の部材２０の一端２０ａが他の半環状の部材２１の一端２１ａとヒンジ部９によって稼動自在に結合され、一の半環状の部材２０の他端２０ｂが他の半環状の部材２１の他端２１ｂと錠部１０によって開閉自在とされている構成なので、容易にシューレース３１の装脱着を行うことができる。
【００４６】
本考案の実施形態である飛翔害虫忌避用具７１は、錠部１０が、凸部１０ａと、凸部１０ａに嵌合自在とされた凹部１０ｂとからなり、凸部１０ａが一の半環状の部材２０の他端２０ｂに設けられ、凹部１０ｂが他の半環状の部材２１の他端２１ｂに設けられている構成なので、半環状の部材２０、２１の開閉を容易に行うとともに、安定して状態を保持させることができる。
本考案の実施形態である飛翔害虫忌避用具７２は、リング状の筐体２６が、チューブ状の筐体１１と結合部材２５とから構成され、チューブ状の筐体１１の一端１１ａと他端１１ｂが結合部材２５で結合されることによりリング状にされる構成なので、容易にシューレース３１の装脱着を行うことができる。
【００４７】
本考案の実施形態である飛翔害虫忌避用具７、７１〜７６は、前記飛翔害虫忌避成分が常温揮散性成分を含む構成なので、下半身を中心として人間の身体全体を覆うように飛翔害虫忌避成分からなるバリア雰囲気を形成して、飛翔害虫を有効に忌避することができる。
本考案の実施形態である飛翔害虫忌避用具７、７１〜７６は、前記常温揮散性成分が殺虫剤、植物精油もしくは香料のいずれかの成分を含む構成なので、下半身を中心として人間の身体全体を覆うように飛翔害虫忌避成分からなるバリア雰囲気を形成して、飛翔害虫を有効に忌避することができる。
本考案の実施形態である飛翔害虫忌避用具７、７１〜７６は、前記殺虫剤が、メトフルトリン、トランスフルスリンもしくはエンペンスリンのいずれかの化合物を含む構成なので、下半身を中心として人間の身体全体を覆うように飛翔害虫忌避成分からなるバリア雰囲気を形成して、飛翔害虫を有効に忌避することができる。
以下、本考案を実施例に基づいて具体的に説明する。しかし、本考案はこれらの実施例にのみ限定されるものではない。
【実施例】
【００４８】
図１に示す形状の本考案の飛翔害虫忌避用具を、次のようにして製造した。
まず、樹脂型枠に樹脂を流し込んで、外径２０ｍｍ、内径１３ｍｍの樹脂製の中空のドーナツ状容器を作製した。なお、中空のドーナツ状容器の一面には、薬剤揮散孔および薬剤注入孔を形成した。次に、これをダイサーで輪切りにして、リング状の下容器とリング状の上容器とに分割した。
次に、前記中空のドーナツ状容器の中空部を充填する大きさに家庭用スポンジを裁断した。さらに、裁断した家庭用スポンジを下容器の中空部に装填した後、リング状の下容器をリング状の上容器に嵌合し、嵌合部を接着剤で固定した。
最後に、シリンジを用いて、薬剤注入孔からトランスフルスリン１％となるエタノール溶液を１．０ｍｌ家庭用スポンジに含浸させた。
【００４９】
本考案の飛翔害虫忌避用具の効果を次のようにして確認した。
本考案の飛翔害虫忌避用具を２個ずつ両足の登山靴に取り付けたテスター（実施例用研究員）３名と、本考案の飛翔害虫忌避用具を取り付けないテスター（比較例用研究員）３名により、２時間、夏の屋外の市街地散策を行った。実施例用研究員はいずれも手足の皮膚露出面へヤブカなどによる虫にさされることはなかった。比較例用研究員はいずれも手足の皮膚露出面へヤブカなどによる虫にさされた。
さらに、本考案の飛翔害虫忌避用具を３個ずつ両足の登山靴に取り付けたテスター（実施例用研究員）３名と、本考案の飛翔害虫忌避用具を取り付けないテスター（比較例用研究員）３名により、夏の森林公園の山道で２時間の散策を行った。実施例用研究員はいずれも手足の皮膚露出面へヤブカなどによる虫にさされることはなかった。比較例用研究員はいずれも手足の皮膚露出面へヤブカなどによる虫にさされた。
【産業上の利用可能性】
【００５０】
本考案は、飛翔害虫忌避用具に関するものであって、飛翔害虫忌避用具を製造あるいは販売する産業において利用可能性がある。
【図面の簡単な説明】
【００５１】
【図１】本考案の飛翔害虫忌避用具の一例を示す図である。
【図２】本考案の飛翔害虫忌避用具の使用形態の一例を説明する斜視図である。
【図３】本考案の飛翔害虫忌避用具の一例を示す図である。
【図４】本考案の飛翔害虫忌避用具の一例を示す図である。
【図５】本考案の飛翔害虫忌避用具の一例を示す図である。
【図６】本考案の飛翔害虫忌避用具の一例を示す図である。
【図７】本考案の飛翔害虫忌避用具の一例を示す図である。
【図８】本考案の飛翔害虫忌避用具の一例を示す図である。
【符号の説明】
【００５２】
１…シールド用容器、１ｃ…収納凹所、２…薬剤含浸部材、３…薬剤揮散孔用容器、３ａ…一面、４…薬剤揮散孔、５…薬剤注入孔、６…薬剤注入用シリンジ、６ａ…シリンジ針、７…飛翔害虫忌避用具、１０…錠部、１０ａ…凸部、１０ｂ…凹部、１１…チューブ状の筐体、１１ａ…一端、１１ｂ…他端、１２ａ、１２ｂ…開口部、１３…靴、１５…筐体、１５ｃ…空洞部、２０、２１…半環状の部材、２０ａ、２１ａ…一端、２０ｂ、２１ｂ…他端、２０ｃ、２１ｃ…空洞部、２３…リング状の筐体、２５…結合部材、３０…シューレース通過孔、３１…靴紐（シューレース）、４０…筐体、４０ｃ…空洞部、４１…筐体、４１ｃ…空洞部、４２…半球状の薬剤揮散孔用容器、４３…半球状のシールド用容器、４２ａ…一端側、４２ｃ、４３ｃ…収納凹所、４３ｂ…他端側、４４…筐体、４６…直方体状の薬剤揮散孔用容器、４７…直方体状のシールド用容器、４６ａ…一面、４６ｃ…収納凹所、４８…筐体、７１、７２、７３、７４、７５、７６…飛翔害虫忌避用具。
【図１】
0003140153.tif 000003
【図２】
0003140153.tif 000004
【図３】
0003140153.tif 000005
【図４】
0003140153.tif 000006
【図５】
0003140153.tif 000007
【図６】
0003140153.tif 000008
【図７】
0003140153.tif 000009
【図８】
0003140153.tif 000010